(57)【要約】【課題】任意のグループに属する空気調和装置をパソコンなどの汎用端末からネットワークを介して一括して制御することができる空気調和制御システムであって、グループに属する空気調和装置を汎用端末から一括して制御するための設定を、迅速かつ柔軟に変更することができる空気調和制御システムを提供することにある。【解決手段】本発明に係る空気調和制御システム１０は、空気調和装置群７０ａ，７０ｂと、空気調和装置群７０ａ，７０ｂに属する空気調和装置２０ａ，２０ｂ，２０ｃ，２０ｄ，２０ｅ，２０ｆを群単位で制御するためのユーザインターフェイス３１ａ，３１ｂを表示する汎用端末３０ａ，３０ｂと、汎用端末３０ａ，３０ｂのユーザインターフェイス３１ａ，３１ｂから制御可能な空気調和装置群７０ａ，７０ｂを定義する定義ファイル４１を有する管理者用端末４０と、通信網６０と、を備える。【選択図】図１
2010121823.tif 000002
【特許請求の範囲】
【請求項１】
複数台の空気調和装置（２０ａ，２０ｂ，・・・，２０ｆ）と、
前記空気調和装置（２０ａ，２０ｂ，・・・，２０ｆ）を任意にグループ分けするグループ化手段と、
前記グループ化手段により生成された空気調和装置群（７０ａ，７０ｂ）を制御することができるユーザインターフェイス（３１ａ，３１ｂ）を有し、通信網（６０）を介して前記空気調和装置（２０ａ，２０ｂ，・・・，２０ｆ）と接続される複数台の汎用端末（３０ａ，３０ｂ）と、
前記汎用端末（３０ａ，３０ｂ）の前記ユーザインターフェイス（３１ａ，３１ｂ）から制御可能な前記空気調和装置群（７０ａ，７０ｂ）の制御に関する情報が記述されている定義ファイル（４１）を有し、前記通信網（６０）を介して前記汎用端末（３０ａ，３０ｂ）と接続される管理者用端末（４０）と
を備える空気調和制御システム。
【請求項２】
前記定義ファイル（４１）には、前記汎用端末（３０ａ，３０ｂ）の前記ユーザインターフェイス（３１ａ，３１ｂ）から制御可能な前記空気調和装置群（７０ａ，７０ｂ）に関する情報が記述されている、請求項１に記載の空気調和制御システム。
【請求項３】
前記定義ファイル（４１）には、前記汎用端末（３０ａ，３０ｂ）の前記ユーザインターフェイス（３１ａ，３１ｂ）から使用可能な前記空気調和装置群（７０ａ，７０ｂ）の機能に関する情報が記述されている、請求項１または２に記載の空気調和制御システム。
【請求項４】
前記定義ファイル（４１）には、一の前記空気調和装置群（７０ａ，７０ｂ）に対して複数台の前記汎用端末（３０ａ，３０ｂ）から送信される複数の制御情報に対する前記汎用端末（３０ａ，３０ｂ）間の優先順位が記述されている、請求項１から３のいずれかに記載の空気調和制御システム。
【請求項５】
前記管理者用端末（４０）は、前記グループ化手段及び前記グループ化手段のためのユーザインターフェイスを有する、請求項１から４のいずれかに記載の空気調和制御システム。
【請求項６】
前記管理者用端末（４０）は、当該管理者用端末（４０）に入力されたスケジュール情報に従って前記定義ファイル（４１）の内容を変更する、請求項１から５のいずれかに記載の空気調和制御システム。
【請求項７】
通信回線（６１）を介して前記空気調和装置（２０ａ，２０ｂ，・・・，２０ｆ）と接続されるとともに、前記通信網（６０）を介して前記汎用端末（３０ａ，３０ｂ）と接続され、前記空気調和装置（２０ａ，２０ｂ，・・・，２０ｆ）又は前記汎用端末（３０ａ，３０ｂ）から送信される制御情報を前記空気調和装置（２０ａ，２０ｂ，・・・，２０ｆ）又は前記汎用端末（３０ａ，３０ｂ）との間で双方向に送受信する専用の集中制御装置（５０ａ，５０ｂ）をさらに備える、請求項１から６のいずれかに記載の空気調和制御システム。
【請求項８】
前記管理者用端末（４０）は、前記定義ファイル（４１）を解釈して、前記汎用端末（３０ａ，３０ｂ）の前記ユーザインターフェイス（３１ａ，３１ｂ）に前記空気調和装置群（７０ａ，７０ｂ）を制御する機能を割り当てるプログラムを有する、請求項１から７のいずれかに記載の空気調和制御システム。
【発明の詳細な説明】
【技術分野】
【０００１】
この発明は、汎用端末を用いて空気調和装置を制御するための空気調和制御システムに関する。
【背景技術】
【０００２】
現在、ネットワークを介してパソコンなどの汎用端末から空気調和装置の運転制御をする技術が提案されている。
【０００３】
例えば、特許文献１に開示されているブラウザ利用空調制御システムでは、システムの管理者は、インターネットを介してパソコン上のブラウザから空気調和装置を遠隔操作・遠隔監視することができる。
【０００４】
また、ネットワークに接続された複数台の空気調和装置を任意にグループ化して、グループに属する空気調和装置を専用の集中制御機器により一括して制御する技術が提案されている。
【０００５】
例えば、特許文献２に開示されている空気調和装置の制御装置では、複数の系統（ゾーン）に属する複数台の空気調和装置が同一通信線上に接続されたシステムにおいて、系統（ゾーン）を越えて任意にグループ化された空気調和装置を、一台の集中制御管理機器を用いて一括して制御することができる。
【特許文献１】特開２００２−０７１１９８号公報
【特許文献２】特開２００１−２３５２１７号公報
【発明の開示】
【発明が解決しようとする課題】
【０００６】
ところで、ネットワークに接続された複数台の空気調和装置を任意にグループ化して、グループに属する空気調和装置をパソコンなどの汎用端末上のユーザインターフェイスから一括して制御することができるシステムを構築しようとする際に、空気調和装置と汎用端末との関連付けの設定を、個々の空気調和装置及び汎用端末に対して行うと煩雑で時間もかかる。
【０００７】
そこで、本発明の目的は、ネットワークを介して任意のグループに属する空気調和装置をパソコンなどの汎用端末から一括して制御することができる空気調和制御システムであって、グループに属する空気調和装置を汎用端末から一括して制御するための設定を、迅速かつ柔軟に変更することができる空気調和制御システムを提供することにある。
【課題を解決するための手段】
【０００８】
第１発明に係る空気調和制御システムは、複数台の空気調和装置と、グループ化手段と、複数台の汎用端末と、管理者用端末とを備えている。グループ化手段は、空気調和装置を任意にグループ分けして空気調和装置群を生成する。汎用端末は、通信網を介して空気調和装置と接続され、グループ化手段により生成された空気調和装置群を制御することができるユーザインターフェイス（以下、仮想リモコンという。）を有している。ここで、「空気調和装置群を制御する」こととは、「空気調和装置群に属する全ての空気調和装置を一括して制御する」ことを意味する（以下同様）。管理者用端末は、通信網を介して汎用端末と接続され、汎用端末の仮想リモコンから制御することができる空気調和装置群の制御に関する情報（以下、空調制御情報という。）が記述されている定義ファイルを有している。
【０００９】
本発明によれば、当該空気調和制御システムが備える汎用端末のユーザは、汎用端末の仮想リモコンから任意の空気調和装置群を制御することができる。また、空調制御情報は、各汎用端末によって管理される代わりに、管理者用端末が有している定義ファイルに記述されている。そのため、当該空気調和制御システムの管理者は、管理者用端末を用いて空調制御情報を迅速かつ柔軟に変更することができる。また、当該空気調和制御システムの管理者は、管理者用端末を用いて空調制御情報を汎用端末のユーザに隠蔽して一元的に管理することができる。
【００１０】
第２発明に係る空気調和制御システムは、第１発明に係る空気調和制御システムであって、定義ファイルには、汎用端末の仮想リモコンから制御することができる空気調和装置群に関する情報が記述されている。
【００１１】
本発明によれば、汎用端末のユーザが仮想リモコンを用いて任意の空気調和装置群を制御することができるか否かに関する情報が、定義ファイルに記述されている。そのため、例えば、空気調和制御システムの管理者は管理者用端末を用いて迅速かつ柔軟に、一の汎用端末の仮想リモコンによる任意の空気調和装置群の制御を許可することができ、別の汎用端末の仮想リモコンによる当該空気調和装置群の制御を禁止することができる。
【００１２】
第３発明に係る空気調和制御システムは、第１発明または第２発明に係る空気調和制御システムであって、定義ファイルには、汎用端末の仮想リモコンから使用することができる空気調和装置群の機能に関する情報が記述されている。ここで、「空気調和装置群の機能」とは「空気調和装置群に属する全ての空気調和装置が共通して有する機能」を意味し、「空気調和装置群の機能を使用する」こととは、「空気調和装置群に属する全ての空気調和装置が共通して有する一の機能を、当該全ての空気調和装置に対して使用する」ことを意味する（以下同様）。空気調和装置群の機能とは、例えば、空気調和装置の発停機能、温度調節機能及び風量調節機能を指す。
【００１３】
本発明によれば、汎用端末のユーザが仮想リモコンを用いて任意の空気調和装置群の機能を使用することができるか否かに関する情報が、定義ファイルに記述されている。そのため、例えば、空気調和制御システムの管理者は管理者用端末を用いて迅速かつ柔軟に、一の汎用端末の仮想リモコンによる任意の空気調和装置群の温度調節機能の使用を許可することができ、別の汎用端末の仮想リモコンによる当該空気調和装置群の温度調節機能の使用を禁止することができる。
【００１４】
第４発明に係る空気調和制御システムは、第１発明から第３発明のいずれかに係る空気調和制御システムであって、定義ファイルには、一の空気調和装置群に対して複数台の汎用端末から送信される複数の制御情報に対する当該汎用端末間の優先順位が記述されている。
【００１５】
本発明によれば、一の空気調和装置群に属する空気調和装置に対して制御情報を送信する汎用端末が複数台存在する場合に、当該制御情報に対する汎用端末間の優先順位が、定義ファイルに記述されている。そのため、例えば、本発明に係る空気調和制御システムは、一の汎用端末から任意の空気調和装置群に属する空気調和装置に対して送信された制御情報を、他の汎用端末から当該空気調和装置群に属する空気調和装置に対して送信された制御情報より優先的に処理することができる。
【００１６】
第５発明に係る空気調和制御システムは、第１発明から第４発明のいずれかに係る空気調和制御システムであって、管理者用端末は、グループ化手段及び当該グループ化手段のためのユーザインターフェイスを有している。
【００１７】
本発明によれば、複数台の空気調和装置を任意にグループ分けして空気調和装置群を生成するグループ化手段と、当該グループ化手段を実現するためのユーザインターフェイスを、管理者用端末が有している。管理者用端末のユーザは、当該ユーザインターフェイスを用いて空気調和装置群を迅速に生成及び変更することができる。そのため、例えば、空気調和制御システムの管理者は管理者用端末を用いて、多数の空気調和装置を備えているテナントビルにおいて、空気調和装置を各テナントが属するエリアごとにグループ分けして管理している場合に、テナントが属するエリアの変更に伴う空気調和装置のグループ分けを迅速に行うことができる。
【００１８】
第６発明に係る空気調和制御システムは、第１発明から第５発明のいずれかに係る空気調和制御システムであって、管理者用端末は、管理者用端末に入力されたスケジュール情報に従って定義ファイルの内容を変更する。
【００１９】
本発明によれば、当該スケジュール情報に従って、指定された時間に定義ファイルの内容を自動的に変更する管理者用端末を備える空気調和制御システムを構築することができる。そのため、例えば、空気調和制御システムの管理者は管理者用端末を用いて、就業時間外に汎用端末からの任意の空気調和装置群の制御を禁止することができる。
【００２０】
第７発明に係る空気調和制御システムは、第１発明から第６発明のいずれかに係る空気調和制御システムであって、専用の集中制御装置をさらに備えている。当該集中制御装置は、通信回線を介して空気調和装置と接続されるとともに、通信網を介して汎用端末と接続される。また、当該集中制御装置は、空気調和装置又は汎用端末から送信される制御情報を空気調和装置又は汎用端末との間で双方向に送受信する。
【００２１】
本発明によれば、汎用端末が集中制御機器に対して制御情報を送信すると、当該集中制御機器は適切な空気調和装置群に属する空気調和装置に対して制御情報を自動的に送信することができる。そのため、汎用端末から送信される制御情報の処理の効率性を向上させることができる。
【００２２】
第８発明に係る空気調和制御システムは、第１発明から第７発明のいずれかに係る空気調和制御システムであって、定義ファイルを解釈して汎用端末の仮想リモコンに空気調和装置群を制御する機能を割り当てるプログラム（以下、空気調和制御プログラムという。）を有する管理者用端末を備えている。
【００２３】
本発明によれば、当該空気調和制御システムを運用する上で基幹となる機能は、管理者用端末が有する空気調和制御プログラムによって実現されるので、空気調和制御システムの保守性を向上させることができる。
【発明の効果】
【００２４】
第１発明に係る空気調和制御システムでは、空気調和制御システムの管理者は管理者用端末を用いて、汎用端末の仮想リモコンから制御することができる空気調和装置群の制御に関する情報を迅速かつ柔軟に変更することができる。
【００２５】
第２発明に係る空気調和制御システムでは、空気調和制御システムの管理者は管理者用端末を用いて迅速かつ柔軟に、一の汎用端末の仮想リモコンによる任意の空気調和装置群の制御を許可することができ、別の汎用端末の仮想リモコンによる当該空気調和装置群の制御を禁止することができる。
【００２６】
第３発明に係る空気調和制御システムでは、空気調和制御システムの管理者は管理者用端末を用いて迅速かつ柔軟に、一の汎用端末の仮想リモコンによる任意の空気調和装置群の温度調節機能の使用を許可することができ、別の汎用端末の仮想リモコンによる当該空気調和装置群の温度調節機能の使用を禁止することができる。
【００２７】
第４発明に係る空気調和制御システムでは、一の汎用端末から任意の空気調和装置群に属する空気調和装置に対して送信された制御情報を、他の汎用端末から当該空気調和装置群に属する空気調和装置に対して送信された制御情報より優先的に処理することができる。
【００２８】
第５発明に係る空気調和制御システムでは、空気調和制御システムの管理者は管理者用端末を用いて、多数の空気調和装置を備えているテナントビルにおいて、空気調和装置を各テナントが属するエリアごとにグループ分けして管理している場合に、テナントが属するエリアの変更に伴う空気調和装置のグループ分けを迅速に行うことができる。
【００２９】
第６発明に係る空気調和制御システムでは、空気調和制御システムの管理者は管理者用端末を用いて、就業時間外に汎用端末からの任意の空気調和装置群の制御を禁止することができる。
【００３０】
第７発明に係る空気調和制御システムでは、汎用端末から送信される制御情報の処理の効率性を向上させることができる。
【００３１】
第８発明に係る空気調和制御システムでは、空気調和制御システムの保守性を向上させることができる。
【発明を実施するための最良の形態】
【００３２】
＝第１実施形態＝
＜構成＞
本発明の第１実施形態に係る空気調和制御システム１０の概念図を図１に示す。空気調和制御システム１０では、第１空気調和装置２０ａ、第２空気調和装置２０ｂ、第３空気調和装置２０ｃ、第４空気調和装置２０ｄ、第５空気調和装置２０ｅ、第６空気調和装置２０ｆ、第１汎用端末３０ａ、第２汎用端末３０ｂ及び管理者用端末４０が通信網６０を介して接続されている。
【００３３】
以下、空気調和制御システム１０を構成している各要素について説明する。
【００３４】
（１）空気調和装置
第１空気調和装置２０ａは、発停機能、温度調節機能及び風量調節機能などの空気調和機能を有する。第２空気調和装置２０ｂ、第３空気調和装置２０ｃ、第４空気調和装置２０ｄ、第５空気調和装置２０ｅ及び第６空気調和装置２０ｆも、第１空気調和装置２０ａと同様である。
【００３５】
また、後述する管理者用端末４０が有するグループ化手段により、第１空気調和装置２０ａ、第２空気調和装置２０ｂ及び第３空気調和装置２０ｃは第１空気調和装置群７０ａに属し、第４空気調和装置２０ｄ、第５空気調和装置２０ｅ及び第６空気調和装置２０ｆは第２空気調和装置群７０ｂに属している。
【００３６】
（２）汎用端末
第１汎用端末３０ａは、任意の空気調和装置群７０ａ，７０ｂを制御するためのユーザインターフェイス（以下、第１仮想リモコンという。）３１ａを表示する機能を有する。第１汎用端末３０ａと同様に、第２汎用端末３０ｂは第２仮想リモコン３１ｂを表示する機能を有する。仮想リモコン３１ａ，３１ｂから制御することができる空気調和装置群７０ａ，７０ｂは、後述する定義ファイル４１によって定義されている。汎用端末３０ａ，３０ｂとしては、一般的なクライアント用パソコンが用いられる。
【００３７】
（３）管理者用端末
管理者用端末４０は、仮想リモコン３１ａ，３１ｂから制御することができる空気調和装置群７０ａ，７０ｂが記述されている定義ファイル４１を有する。定義ファイル４１の概念図を図４に示す。
【００３８】
図４の表において、汎用端末３０ａ，３０ｂのユーザがそれぞれの仮想リモコン３１ａ，３１ｂから制御することができる空気調和装置群７０ａ，７０ｂを示す升目には丸印が記述されている。すなわち、第１汎用端末３０ａのユーザは第１仮想リモコン３１ａから第１空気調和装置群７０ａを制御することができ、第２汎用端末３０ｂのユーザは第２仮想リモコン３１ｂから第２空気調和装置群７０ｂを制御することができる。
【００３９】
また、管理者用端末４０は、空気調和装置２０ａ，２０ｂ，２０ｃ，２０ｄ，２０ｅ，２０ｆのグループ化手段及び当該グループ化手段のためのユーザインターフェイスを有する。管理者用端末４０のユーザは、当該ユーザインターフェイスを用いて、空気調和装置２０ａ，２０ｂ，２０ｃ，２０ｄ，２０ｅ，２０ｆを任意の空気調和装置群に迅速にグループ分けすることができる。
【００４０】
例えば、本実施形態に係る空気調和制御システム１０が備える空気調和装置２０ａ，２０ｂ，２０ｃ，２０ｄ，２０ｅ，２０ｆのグループ分けを当該グループ化手段により変更した空気調和制御システム１０の概念図を図２に示す。
【００４１】
図２において、第１空気調和装置２０ａ、第２空気調和装置２０ｂ、第４空気調和装置２０ｄ及び第５空気調和装置２０ｅは第１'空気調和装置群１７０ａに属し、第３空気調和装置２０ｃ及び第６空気調和装置２０ｆは第２'空気調和装置群１７０ｂに属している。空気調和制御システム１０において、第１汎用端末３０ａのユーザは第１仮想リモコン３１ａから第１'空気調和装置群１７０ａを制御することができ、第２汎用端末３０ｂのユーザは第２仮想リモコン３１ｂから第２'空気調和装置群１７０ｂを制御することができる。
【００４２】
さらに、管理者用端末４０は、定義ファイル４１によって参照される情報を有する。定義ファイル４１によって参照される情報とは、空気調和装置２０ａ，２０ｂ，２０ｃ，２０ｄ，２０ｅ，２０ｆの機種・管理番号・機能の情報や汎用端末３０ａ，３０ｂのネットワークアドレスなどの情報である。また、管理者用端末４０は汎用端末３０ａ，３０ｂを空気調和制御システム１０に登録する機能を有する。管理者用端末４０としては、一般的なサーバ用パソコンが用いられる。
【００４３】
（４）通信網
通信網６０としては、家庭内・企業内で一般的に使用されるＬＡＮが用いられる。
【００４４】
＜特徴＞
（１）管理者用端末４０のユーザは、定義ファイル４１を更新することで、仮想リモコン３１ａ，３１ｂから制御することができる空気調和装置群７０ａ，７０ｂを迅速かつ柔軟に変更することができる。
【００４５】
（２）汎用端末３０ａ，３０ｂのユーザは、仮想リモコン３１ａ，３１ｂを用いることで、あらかじめ定義ファイル４１で定義された空気調和装置群７０ａ，７０ｂを制御することができる。
【００４６】
（３）管理者用端末４０のユーザは、空気調和装置２０ａ，２０ｂ，２０ｃ，２０ｄ，２０ｅ，２０ｆを任意の空気調和装置群に迅速にグループ分けすることができる。例えば、テナントビルにおいて、テナントが属するエリアごとに空気調和装置群を設定することができる。
【００４７】
＜変形例＞
（１）先の実施形態に係る空気調和制御システム１０では、６台の空気調和装置２０ａ，２０ｂ，２０ｃ，２０ｄ，２０ｅ，２０ｆが通信網６０を介して接続されているが、任意の台数の空気調和装置が接続されていてもよい。
【００４８】
（２）先の実施形態に係る空気調和制御システム１０では、２組の空気調和装置群７０ａ，７０ｂが存在しているが、任意の数の空気調和装置群が存在していてもよい。また、空気調和装置群７０ａには３台の空気調和装置２０ａ，２０ｂ，２０ｃが属しているが、空気調和装置群には任意の台数の任意の空気調和装置が属していてもよい。
【００４９】
（３）先の実施形態に係る空気調和制御システム１０では、２台の汎用端末３０ａ，３０ｂが通信網６０を介して接続されているが、任意の台数の汎用端末が接続されていてもよい。
【００５０】
（４）先の実施形態に係る空気調和制御システム１０では、汎用端末３０ａ，３０ｂとして一般的なクライアント用パソコンが用いられているが、ワークステーションや携帯端末（携帯電話・ＰＤＡなど）が用いられていてもよい。
【００５１】
（５）先の実施形態に係る空気調和制御システム１０では、特に言及しなかったが、空気調和制御システム１０に登録された汎用端末３０ａ，３０ｂに対してパスワードを設定する機能が管理者用端末４０に設けられていてもよい。これにより、管理者用端末４０のユーザは汎用端末３０ａ，３０ｂのユーザを制限することができる。
【００５２】
（６）先の実施形態に係る空気調和制御システム１０では、管理者用端末４０として一般的なサーバ用パソコンが用いられているが、より大規模な空気調和制御システムではメインフレームが用いられていてもよい。
【００５３】
（７）先の実施形態に係る空気調和制御システム１０では、管理者用端末４０が空気調和装置２０ａ，２０ｂ，２０ｃ，２０ｄ，２０ｅ，２０ｆのグループ化手段のためのユーザインターフェイスを有しているが、当該グループ化手段を提供する専用の端末装置が通信網６０を介して接続されていてもよい。
【００５４】
（８）先の実施形態に係る空気調和制御システム１０では、特に言及しなかったが、管理者用端末４０はＸＭＬやデータベースなどコンピュータ処理に適した形式で定義ファイル４１を記憶してもよい。また、管理者用端末４０のユーザは、図４で示される表のような、手作業による編集が容易な形式で定義ファイル４１を管理してもよい。
【００５５】
（９）先の実施形態に係る空気調和制御システム１０では、通信網６０としてＬＡＮが用いられているが、有線・無線を問わず情報を双方向に通信可能な回線から構成されるネットワークであれば、ＷＡＮやＶＰＮなどが用いられていてもよい。
【００５６】
＝第２実施形態＝
＜構成＞
第２実施形態として、第１実施形態に係る空気調和制御システム１０における図４で示された定義ファイル４１を図５で示される定義ファイルに置き換えた空気調和制御システムについて記載する。本実施形態において、定義ファイル以外の構成要素は図１で示された第１実施形態に係る空気調和制御システム１０と同一である。
【００５７】
本実施形態における図５で示された定義ファイルでは、それぞれの仮想リモコン３１ａ，３１ｂから使用することができる空気調和装置群７０ａ，７０ｂの機能が定義されている。空気調和装置群７０ａ，７０ｂの機能とは、発停機能、温度調節機能及び風量調節機能を指す。
【００５８】
図５の表において、汎用端末３０ａ，３０ｂのユーザがそれぞれの仮想リモコン３１ａ，３１ｂから使用することができる空気調和装置群７０ａ，７０ｂの機能を示す升目には丸印が記述されている。すなわち、第１汎用端末３０ａのユーザは第１仮想リモコン３１ａから、第１空気調和装置群７０ａの発停機能、温度調節機能及び風量調節機能をそれぞれ使用することができ、第２空気調和装置群７０ｂの温度調節機能を使用することができる。同様に、第２汎用端末３０ｂのユーザは第２仮想リモコン３１ｂから、第１空気調和装置群７０ａの発停機能及び温度調節機能をそれぞれ使用することができ、第２空気調和装置群７０ｂの発停機能及び風量調節機能をそれぞれ使用することができる。
【００５９】
＜特徴＞
（１）管理者用端末４０のユーザは、定義ファイルを更新することで、それぞれの仮想リモコン３１ａ，３１ｂからそれぞれ使用することができる空気調和装置群７０ａ，７０ｂの機能を迅速かつ柔軟に変更することができる。
【００６０】
（２）汎用端末３０ａ，３０ｂのユーザは、仮想リモコン３１ａ，３１ｂを用いることで、あらかじめ定義ファイルで定義された空気調和装置群７０ａ，７０ｂの機能をそれぞれ使用することができる。
【００６１】
＝第３実施形態＝
＜構成＞
第３実施形態として、第１実施形態に係る空気調和制御システム１０における図４で示された定義ファイル４１を図６で示される定義ファイルに置き換えた空気調和制御システムについて記載する。本実施形態において、定義ファイル以外の構成要素は図１で示された第１実施形態に係る空気調和制御システム１０と同一である。
【００６２】
本実施形態における図６で示された定義ファイルでは、空気調和装置群７０ａ，７０ｂの機能を使用するための制御情報に対する仮想リモコン３１ａ，３１ｂ間の優先順位が定義されている。
【００６３】
図６の表において、汎用端末３０ａ，３０ｂのユーザがそれぞれの仮想リモコン３１ａ，３１ｂからそれぞれ使用することができる空気調和装置群７０ａ，７０ｂの機能を示す升目には数値が記述されている。当該数値は、空気調和装置群７０ａ，７０ｂの機能に対する仮想リモコン３１ａ，３１ｂ間の優先順位を表し、数値が低いほど優先順位が高い。同一の空気調和装置群７０ａ，７０ｂの機能に対して、優先順位が高い一の仮想リモコン３１ａ，３１ｂから設定された内容は、優先順位が低い他の仮想リモコン３１ａ，３１ｂから変更することができない。なお、同一の空気調和装置群７０ａ，７０ｂの機能に対して、同一の優先順位の仮想リモコン３１ａ，３１ｂが複数存在する場合は、時間的に後に操作された仮想リモコン３１ａ，３１ｂからの設定が優先的に適応される。
【００６４】
図６の表において、例えば、第２汎用端末３０ｂのユーザが第２仮想リモコン３１ｂから変更した第１空気調和装置群７０ａの設定温度は第１汎用端末３０ａのユーザが第１仮想リモコン３１ａから変更することができるが、第１汎用端末３０ａのユーザが第１仮想リモコン３１ａから変更した第１空気調和装置群７０ａの設定温度は第２汎用端末３０ｂのユーザが第２仮想リモコン３１ｂから変更することができない。また、第１汎用端末３０ａのユーザが第１仮想リモコン３１ａから変更した第２空気調和装置群７０ｂの設定温度は第２汎用端末３０ｂのユーザが第２仮想リモコン３１ｂから変更することができ、第２汎用端末３０ｂのユーザが第２仮想リモコン３１ｂから変更した第２空気調和装置群７０ｂの設定温度は第１汎用端末３０ａのユーザが第１仮想リモコン３１ａからも変更することができる。なお、第１汎用端末３０ａのユーザは第１仮想リモコン３１ａから第１空気調和装置群７０ａの風量調節機能を使用することができるが、第２汎用端末３０ｂのユーザは第２仮想リモコン３１ｂから第１空気調和装置群７０ａの風量調節機能を使用することができない。
【００６５】
＜特徴＞
（１）管理者用端末４０のユーザは、定義ファイルを更新することで、それぞれの仮想リモコン３１ａ，３１ｂから使用することができる空気調和装置群７０ａ，７０ｂの機能に対する仮想リモコン３１ａ，３１ｂ間の優先順位を迅速かつ柔軟に変更することができる。
【００６６】
（２）汎用端末３０ａ，３０ｂのユーザは、あらかじめ定義ファイルで定義された空気調和装置群７０ａ，７０ｂの機能に対する仮想リモコン３１ａ，３１ｂ間の優先順位に従って、仮想リモコン３１ａ，３１ｂから空気調和装置群７０ａ，７０ｂの機能を使用することができる。
【００６７】
＝第４実施形態＝
＜構成＞
第４実施形態として、第１実施形態における図４で示された定義ファイル４１を図７で示される定義ファイルに置き換えた空気調和制御システムについて記載する。本実施形態において、定義ファイル以外の構成要素は図１で示された第１実施形態と同一である。ここで、図７に記載されている第１ユーザＩＤ、第２ユーザＩＤ及び第３ユーザＩＤは、汎用端末３０ａ，３０ｂのユーザを識別するための情報である。
【００６８】
本実施形態における図７で示された定義ファイルは、第１ユーザＩＤ、第２ユーザＩＤ及び第３ユーザＩＤでログインしたユーザが任意の仮想リモコン３１ａ，３１ｂから使用することができる空気調和装置群７０ａ，７０ｂの機能を定義している。ここで、空気調和装置群７０ａ，７０ｂの機能とは発停機能、温度調節機能及び風量調節機能を指す。
【００６９】
図７の表において、第１ユーザＩＤ、第２ユーザＩＤ及び第３ユーザＩＤでログインしたユーザが使用することができる空気調和装置群７０ａ，７０ｂの機能を示す升目には丸印が記述されている。すなわち、第１ユーザＩＤでログインしたユーザは任意の仮想リモコン３１ａ，３１ｂから第１空気調和装置群７０ａの発停機能、温度調節機能及び風量調節機能をそれぞれ使用することができ、第２空気調和装置群７０ｂの温度調節機能を使用することができる。同様に、第２ユーザＩＤでログインしたユーザは任意の仮想リモコン３１ａ，３１ｂから第１空気調和装置群７０ａの発停機能及び温度調節機能をそれぞれ使用することができ、第２空気調和装置群７０ｂの発停機能及び温度調節機能をそれぞれ使用することができる。さらに、第３ユーザＩＤでログインしたユーザは任意の仮想リモコン３１ａ，３１ｂから第２空気調和装置群７０ｂの発停機能、温度調節機能及び風量調節機能をそれぞれ使用することができる。
【００７０】
＜特徴＞
管理者用端末４０のユーザは、図７で示される定義ファイルを用いることで、第１ユーザＩＤ、第２ユーザＩＤ及び第３ユーザＩＤでログインしたユーザが任意の仮想リモコン３１ａ，３１ｂから使用することができる空気調和装置群７０ａ，７０ｂの機能を迅速かつ柔軟に変更することができる。このため、第１ユーザＩＤ、第２ユーザＩＤ及び第３ユーザＩＤでログインしたユーザが任意の汎用端末３０ａ，３０ｂを使用した場合でも、使用することができる空気調和装置群７０ａ，７０ｂの機能は変更されない。
【００７１】
＜変形例＞
（１）先の実施形態に係る空気調和制御システムでは、第１ユーザＩＤ、第２ユーザＩＤ及び第３ユーザＩＤでログインしたユーザが任意の仮想リモコン３１ａ，３１ｂから使用することができる空気調和装置群７０ａ，７０ｂの機能が定義ファイルに定義されているが、第１実施形態における図４で示された定義ファイル４１に倣って、第１ユーザＩＤ、第２ユーザＩＤ及び第３ユーザＩＤでログインしたユーザが任意の仮想リモコン３１ａ，３１ｂから制御することができる空気調和装置群７０ａ，７０ｂが定義ファイルに定義されていてもよい。
【００７２】
（２）先の実施形態に係る空気調和制御システムでは、第１ユーザＩＤ、第２ユーザＩＤ及び第３ユーザＩＤでログインしたユーザが任意の仮想リモコン３１ａ，３１ｂから使用することができる空気調和装置群７０ａ，７０ｂの機能が定義ファイルに定義されているが、第３実施形態における図６で示された定義ファイルに倣って、空気調和装置群７０ａ，７０ｂの機能に対する第１ユーザＩＤ、第２ユーザＩＤ及び第３ユーザＩＤ間の優先順位が定義ファイルに定義されていてもよい。
【００７３】
＝第５実施形態＝
＜構成＞
第５実施形態として、スケジュール情報により定義ファイルを自動的に変更する管理者用端末４０を備えた空気調和制御システムを挙げる。指定された時間帯に指定された定義ファイル４１を空気調和制御システム１０に適応させる場合、第１乃至第４実施形態に係る空気調和制御システムでは、管理者用端末４０のユーザは定義ファイルを時間帯に合わせて手作業で修正・変更する必要がある。本実施形態では、管理者用端末４０は図８で示される週間スケジュール情報を有している。管理者用端末４０は週間スケジュール情報に従って、指定された時間帯に指定された定義ファイルを自動的に空気調和制御システムに適応させる。
【００７４】
図８の表において、各曜日の４つの時間帯に対してそれぞれ定義ファイルが設定されている。４つの時間帯とは、０時から８時までの第１非就業時間帯、８時から１７時までの就業時間帯、１７時から２１時までの残業時間帯及び２１時から２４時までの第２非就業時間帯である。管理者用端末４０は、平日の就業時間帯には定義ファイルＡ、平日の残業時間帯には定義ファイルＢ、平日の第１非就業時間帯と第２非就業時間帯及び休日には定義ファイルＣを空気調和制御システムに適応させる。ここで、定義ファイルＡ、定義ファイルＢ及び定義ファイルＣは、それぞれの時間帯に適した空気調和制御システムを実現するための定義ファイルである。例えば、定義ファイルＣでは、仮想リモコン３１ａ，３１ｂから使用することができる空気調和装置群７０ａ，７０ｂの機能が定義ファイルＡ及び定義ファイルＢと比較して制限されている。
【００７５】
＜特徴＞
週間スケジュール情報を使用することで、管理者用端末４０のユーザは、仮想リモコン３１ａ，３１ｂから使用することができる空気調和装置群７０ａ，７０ｂの機能が、残業時間帯や休日には就業時間帯より制限される空気調和制御システムを構築することができる。これにより、省エネルギー運転を徹底することができる空気調和制御システムを構築することができる。
【００７６】
＜変形例＞
先の実施形態に係る空気調和制御システムでは、管理者用端末４０は、図８で示される週間スケジュール情報を有しているが、年間スケジュール情報を有してもよい。これにより、例えば、管理者用端末４０のユーザは、仮想リモコン３１ａ，３１ｂから制御することができる空気調和装置群７０ａ，７０ｂの設定可能な温度範囲を、季節に応じて自動的に変更する空気調和制御システムを構築することができる。
【００７７】
＝第６実施形態＝
第６実施形態として、外部要因により定義ファイルを自動的に変更する管理者用端末４０を備えた空気調和制御システムを挙げる。外部要因の例としては、外気温度の変化量などの環境要因や室内の照明スイッチのオン・オフなどの外部トリガ、デマンド制御などが考えられる。以下、外部要因の例を用いた空気調和制御システムについて説明する。
【００７８】
まず、屋外に設置した外気温度計測器から取得した外気温度の計測値に応じて定義ファイルを変更する管理者用端末４０を備えた空気調和制御システムを考える。夏場において、外気温度計測器により計測された外気温度があらかじめ設定された温度より低い場合、管理者用端末４０は、仮想リモコン３１ａ，３１ｂからの空気調和装置群７０ａ，７０ｂの温度調節機能の使用を禁止する定義ファイルを自動的に適応する。これにより、外気冷房効果による省エネルギー運転を自動的に実現する空気調和制御システムを構築することができる。
【００７９】
次に、照明スイッチの開閉と連動して定義ファイルを変更する管理者用端末４０を備えた空気調和制御システムを考える。管理者用端末４０は、照明スイッチがオフになっているエリアを検知して、当該エリアに存在する空気調和装置群７０ａ，７０ｂの温度調節機能の仮想リモコン３１ａ，３１ｂによる使用を禁止する定義ファイルを自動的に適応する。これにより、無人のエリアに存在する空気調和装置群７０ａ，７０ｂに属する空気調和装置２０ａ，２０ｂ，２０ｃ，２０ｄ，２０ｅ，２０ｆの省エネルギー運転を自動的に実現する空気調和制御システムを構築することができる。
【００８０】
さらに、デマンド制御システムと連携した空気調和制御システムを考える。デマンド制御システムは、例えば、空気調和装置群７０ａ，７０ｂに属する空気調和装置２０ａ，２０ｂ，２０ｃ，２０ｄ，２０ｅ，２０ｆの使用電力量の予測値が設定電力量を超えた場合に、空気調和装置２０ａ，２０ｂ，２０ｃ，２０ｄ，２０ｅ，２０ｆの運転を所定の時間制限する。管理者用端末４０は、デマンド制御システムから空気調和装置２０ａ，２０ｂ，２０ｃ，２０ｄ，２０ｅ，２０ｆの運転を制限する通知を受け取った後、仮想リモコン３１ａ，３１ｂからの空気調和装置群７０ａ，７０ｂの制御を制限する定義ファイルを自動的に適応する。これにより、安定したデマンド制御を実現できる空気調和制御システムを構築することができる。
【００８１】
＝第７実施形態＝
＜構成＞
本発明の第７実施形態に係る空気調和制御システム１１０の概念図を図３に示す。図３において、図１と同じ符号を有する要素は図１の当該符号を有する要素と同一である。空気調和制御システム１１０では、第１汎用端末３０ａ、第２汎用端末３０ｂ、管理者用端末４０、第１集中制御装置５０ａ及び第２集中制御装置５０ｂが通信網６０を介して接続されている。第１集中制御装置５０ａは通信回線６１を介して、第１空気調和装置２０ａ、第２空気調和装置２０ｂ及び第３空気調和装置２０ｃと接続され、第２集中制御装置５０ｂは通信回線６１を介して、第４空気調和装置２０ｄ、第５空気調和装置２０ｅ及び第６空気調和装置２０ｆと接続されている。図３において、第１空気調和装置２０ａ、第２空気調和装置２０ｂ、第４空気調和装置２０ｄ及び第５空気調和装置２０ｅは第１"空気調和装置群２７０ａに属し、第３空気調和装置２０ｃ及び第６空気調和装置２０ｆは第２"空気調和装置群２７０ｂに属している。
【００８２】
以下、新規に備えられる構成要素について説明する。
【００８３】
（１）集中制御装置
集中制御装置５０ａ，５０ｂは、傘下にある空気調和装置２０ａ，２０ｂ，２０ｃ，２０ｄ，２０ｅ，２０ｆの機種・管理番号・機能の情報や汎用端末３０ａ，３０ｂのネットワークアドレスなどの情報を自動通信または手作業による入力によって保持している。また、集中制御装置５０ａ，５０ｂは、汎用端末３０ａ，３０ｂから送信された空気調和装置２０ａ，２０ｂ，２０ｃ，２０ｄ，２０ｅ，２０ｆの制御情報を受信し、傘下にある適切な空気調和装置２０ａ，２０ｂ，２０ｃ，２０ｄ，２０ｅ，２０ｆに対して制御情報を自動的に送信する機能を有する。さらに、集中制御装置５０ａ，５０ｂは、傘下にある空気調和装置２０ａ，２０ｂ，２０ｃ，２０ｄ，２０ｅ，２０ｆの状態を監視して汎用端末３０ａ，３０ｂに対して報知する機能を有する。例えば、空気調和制御システム１１０に空気調和装置が新規に追加された場合や、既存の空気調和装置が除去された場合に、集中制御装置５０ａ，５０ｂは空気調和制御システム１１０が現在備えている空気調和装置を自動的に認識する。
【００８４】
（２）通信回線
通信回線６１としては、専用回線が用いられる。
【００８５】
＜特徴＞
空気調和装置の追加や除去が頻繁に発生する空気調和制御システム１１０では、空気調和制御システム１１０の管理者は、集中制御装置５０ａ，５０ｂを用いることにより効率的な空気調和装置の管理ができる。
【００８６】
＜変形例＞
（１）先の実施形態に係る空気調和制御システム１１０では、通信回線６１として専用回線が用いられているが、有線・無線を問わず情報を双方向に通信可能な回線であればＬＡＮケーブルや光ケーブルなどが用いられていてもよい。
【００８７】
（２）先の実施形態に係る空気調和制御システム１１０では、集中制御装置５０ａ，５０ｂは、適切な空気調和装置２０ａ，２０ｂ，２０ｃ，２０ｄ，２０ｅ，２０ｆに対して制御情報を自動的に送信する機能及び空気調和装置２０ａ，２０ｂ，２０ｃ，２０ｄ，２０ｅ，２０ｆの状態を監視して汎用端末３０ａ，３０ｂに対して報知する機能を有するが、傘下にある空気調和装置２０ａ，２０ｂ，２０ｃ，２０ｄ，２０ｅ，２０ｆを集中制御する機能も有していてもよい。空気調和装置２０ａ，２０ｂ，２０ｃ，２０ｄ，２０ｅ，２０ｆを集中制御する機能とは、例えば、集中制御装置５０ａが空気調和装置２０ａ，２０ｂ，２０ｃに対して省エネのために温度設定を禁止する機能や快適制御のために上下限温度を設定する機能などが考えられる。この場合、集中制御機器５０ａ，５０ｂが有する空気調和装置２０ａ，２０ｂ，２０ｃ，２０ｄ，２０ｅ，２０ｆを集中制御する機能と、仮想リモコン３１ａ，３１ｂとの関連付けが定義ファイルに記述されている必要がある。
【産業上の利用可能性】
【００８８】
本発明に係る空気調和制御システムでは、空気調和制御システムの管理者は管理者用端末を用いて空調制御情報を迅速かつ柔軟に変更することができる。従って、本発明に係る空気調和制御システムは、多数の空気調和装置が設置されている大規模な空間を対象とする効率的な空気調和制御システムとして利用することができる。
【図面の簡単な説明】
【００８９】
【図１】本発明の第１実施形態に係る空気調和制御システムの概念図。
【図２】本発明の第１実施形態に係る空気調和装置のグループ分けを変更した空気調和制御システムの概念図。
【図３】本発明の第７実施形態に係る集中制御装置を備えた空気調和制御システムの概念図。
【図４】本発明の第１実施形態に係る空気調和制御システムで使用する定義ファイルの概念図。
【図５】本発明の第２実施形態に係る空気調和制御システムで使用する定義ファイルの概念図。
【図６】本発明の第３実施形態に係る空気調和制御システムで使用する定義ファイルの概念図。
【図７】本発明の第４実施形態に係る空気調和制御システムで使用する定義ファイルの概念図。
【図８】本発明の第５実施形態に係る空気調和制御システムで使用する週間スケジュール情報の概念図。
【符号の説明】
【００９０】
１０，１１０    空気調和制御システム
２０ａ，２０ｂ，２０ｃ，２０ｄ，２０ｅ，２０ｆ    空気調和装置
７０ａ，７０ｂ，１７０ａ，１７０ｂ，２７０ａ，２７０ｂ    空気調和装置群
３０ａ，３０ｂ    汎用端末
３１ａ，３１ｂ    ユーザインターフェイス（仮想リモコン）
４０    管理者用端末
４１    定義ファイル
５０ａ，５０ｂ    集中制御装置
６０    通信網
６１    通信回線
【図１】
2010121823.tif 000003
【図２】
2010121823.tif 000004
【図３】
2010121823.tif 000005
【図４】
2010121823.tif 000006
【図５】
2010121823.tif 000007
【図６】
2010121823.tif 000008
【図７】
2010121823.tif 000009
【図８】
2010121823.tif 000010